(57)【特許請求の範囲】
【請求項１】
陸屋根住宅の最上階の鉄骨梁に、支柱本体の上下両端に取付板を溶接するとともに、上取付板にリングを溶接して形成された親綱支柱を設定間隔をおいて固定する一方、最上階の鉄骨梁にわたって屋上の床下地材を固定するとともに、床下地材に防水部材を敷設し、また、防水部材から突出された親綱支柱の支柱本体の表面を覆う防水シートを屋上の防水部材に溶着したことを特徴とする親綱支柱兼アンテナ支線取付金具の取付構造。
【発明の詳細な説明】
【０００１】
【発明の属する技術分野】
本発明は、鉄骨系住宅、例えば、陸屋根を有する戸建て住宅やアパートなどの集合住宅における親綱支柱兼アンテナ支線取付金具の取付構造に関するものである。
【０００２】
【従来の技術】
一般に、鉄骨系住宅を建築する際、鉄骨工事を行なう場合は、市販の親綱支柱を鉄骨梁に固定し、この親綱支柱に命綱のフックを取り付けて作業するようにしている。
【０００３】
【発明が解決しようとする課題】
しかしながら、外装工事を行なう場合には、鉄骨梁から親綱支柱を取り外さないと作業できないため、親綱支柱を取り外した後、命綱のない状態で作業せざるを得ず、危険が伴うという問題があった。また、外装の保守点検を行なう場合においても、親綱を張るものがないため、屋上から下階を覗き込んで作業するようにしており、安全性に難がある。
【０００４】
一方、住宅の陸屋根に衛星放送受信用パラボラアンテナを設置する場合、屋上の床下地材にアンテナ支線を止め付けている。このような床下地材にアンテナ支線を止め付ける構造では、強度が弱く、親綱支柱を併設することはできない。したがって、親綱支柱を利用してアンテナ支線を支持する場合には、外装工事までにアンテナ設置位置を確定して親綱支柱を躯体に固定する必要があるが、高層建築物が多い都会においては、アンテナ工事まで設置位置が確定しない場合があり、その結果、外装工事の手順が煩雑になるという欠点があった。
【０００５】
本発明は、このような問題点に鑑みてなされたものであり、外装工事の前後にかかわらずパラボラアンテナのアンテナ支線を支持することができるとともに、外装や屋根面などの保守点検作業などを行う場合に使用することのできる親綱支柱兼アンテナ支線取付金具の取付構造を提供するものである。
【０００６】
【課題を解決するための手段】
本発明は、陸屋根住宅の最上階の鉄骨梁に、支柱本体の上下両端に取付板を溶接するとともに、上取付板にリングを溶接して形成された親綱支柱を設定間隔をおいて固定する一方、最上階の鉄骨梁にわたって屋上の床下地材を固定するとともに、床下地材に防水部材を敷設し、また、防水部材から突出された親綱支柱の支柱本体の表面を覆う防水シートを屋上の防水部材に溶着したことを特徴とするものである。
【０００７】
本発明によれば、最上階の鉄骨梁に設定間隔をおいて複数個の親綱支柱を固定し、屋上の防水部材から突出された親綱支柱の支柱本体の表面および支柱本体の近傍を覆う防水シートを支柱本体と屋上の防水部材にわたって溶着する。この結果、防水性能を確保して親綱支柱を最上階の鉄骨梁に強固に固定することができる。
【０００８】
したがって、屋上にパラボラアンテナの設置位置が外装工事の前に設定されている場合はもちろん、外装工事後に設定されたとしても、その設置位置に基づいて選択された複数個の親綱支柱にアンテナ支線を連結することにより、パラボラアンテナを鉄骨梁に支持することができる。また、安全帯のフックを親綱支柱のリングに直接引っかけ、安全帯で作業者を支持して外装工事や外装の保守点検作業などを行うことができるとともに、隣接する親綱支柱のリングにわたって作業用親綱を連結し、作業用親綱に安全帯のフックを引っかけ、安全帯で作業者を支持して親綱支柱間にわたる範囲の外装工事や外装の保守点検作業などを行うことができる。さらに、住宅のリフォームなどに際して、親綱支柱を利用して足場を固定する場合にも使用することができる。
【０００９】
【発明の実施の形態】
以下、本発明の親綱支柱兼アンテナ支線取付金具の取付構造の実施の形態について図面を参照しつつ説明する。
【００１０】
図１には、本発明のアンテナ支線取付金具兼用の親綱支柱１の取付構造の一実施形態が示されている。
【００１１】
この親綱支柱１は、構造用鋼管からなる支柱本体２と、支柱本体２の上下端面にそれぞれ溶接された取付板３，４と、丸鋼を湾曲させて上取付板３に溶接されたリング５と、からなり、下取付板４には、最上階の鉄骨梁Ｈの上フランジｈ１に設定間隔をおいて形成された取付穴（図示せず）に対応して複数個のボルト用取付穴（図示せず）が形成されており、これらの取付穴およびボルト用取付穴にボルトを挿通し、ナットを用いて締結することにより、親綱支柱１を鉄骨梁Ｈに強固に固定することができる。そして、後述する陸屋根の防水床から突出することになる親綱支柱１の支柱本体２の表面を覆って円筒部およびフランジ部を備えた防水シート６（図３参照）、例えば、塩ビシートが溶着されている。
【００１２】
ところで、陸屋根の防水床は、最上階の鉄骨梁Ｈにわたって敷設された床下地材Ｙ、例えば、ＡＬＣ床材と、床下地材Ｙに敷設された防水部材７とから形成されている。この防水部材７は、床下地材Ｙに敷設された勾配断熱材７１と、勾配断熱材７１に敷設されたケイ酸カルシウム板などの不燃ボード７２と、不燃ボード７２に敷設された塩ビシートなどの防水シート７３と、からなり、前述した親綱支柱１と干渉しないように、床下地材Ｙおよび防水部材７は切り欠かれている。
【００１３】
なお、住宅の外壁を形成する外壁パネル８が最上階の鉄骨梁Ｈを越えて延設されてパラペットを形成しており、詳細には説明しないが、前述した防水部材７の防水シート７３は、外壁パネル８の裏面に沿って立ち上げられるとともに、外壁パネル８の上端面を覆って溶着されており、パラペットを合わせて防水している。
【００１４】
次に、親綱支柱１を取り付けるとともに、親綱支柱１を含めて屋上を防水施工する手順について説明する。
【００１５】
まず、鉄骨柱（図示せず）および鉄骨梁Ｈによって住宅の鉄骨構造体を形成した後、最上階の鉄骨梁Ｈの設定位置に親綱支柱１を載置し、その下取付板４のボルト用取付穴および鉄骨梁Ｈの取付穴にボルトを挿通し、ナットを用いて締結し、親綱支柱１を鉄骨梁Ｈに固定する。
【００１６】
次いで、最上階の鉄骨梁Ｈにわたって床下地材Ｙを載置して固定した後、外壁パネル８をクレーンなどで吊り上げ、最上階の鉄骨梁Ｈとその下階の鉄骨梁Ｈとの間に適宜に固定する。外壁パネル８が固定されたならば、床下地材Ｙの上面に勾配断熱材７１および不燃ボード７２を順に敷設する。この際、床下地材Ｙ、勾配断熱材７１および不燃ボード７２の各端面をそれぞれ外壁パネル８の裏面に突き合わせる。ただし、床下地材Ｙ、勾配断熱材７１および不燃ボード７２は、親綱支柱１と干渉する部分が切り欠かれており、親綱支柱１と干渉することなく敷設される。
【００１７】
この後、不燃ボード７２上に防水シート７３を敷設し、その延長部を不燃ボード７２の一側端縁を越えて外壁パネル８の裏面に沿って立ち上げるとともに、外壁パネル８の上端面の表面側先端まで巻き回して溶着する。この場合も、防水シート７３は、親綱支柱１と干渉する部分が切り欠かれている。次いで、防水部材７の防水シート７３から突出する親綱支柱１の支柱本体２の表面に、フランジ部および円筒部を有する防水シート６の円筒部を溶着するとともに、そのフランジ部を防水部材７の防水シート７３に溶着する。
【００１８】
このため、防水性能を確保して鉄骨梁Ｈに親綱支柱１を固定することができる。そして、鉄骨梁Ｈに固定された複数個の親綱支柱１を利用してパラボラアンテナを支持することができる。すなわち、図２に示すように、パラボラアンテナの設置位置に対応して、例えば、パラボラアンテナが略中心に位置するような四本の親綱支柱１をアンテナ支線取付金具として選択し、アンテナ架台９と各親綱支柱１のリング５間にアンテナ支線１０を連結することにより、パラボラアンテナをアンテナ支線１０を介して陸屋根を有する住宅の鉄骨構造体の鉄骨梁Ｈに対して固定することができる。
【００１９】
また、外壁パネル８や屋根面の保守点検などに際して、図３に示すように、親綱支柱１のリング５に安全帯１１のフック１１ａを引っかけ、安全帯１１で作業者を支持した状態で作業することができる。また、詳細には図示しないが、隣接する親綱支柱１のリング５間に作業用親綱を張り渡し、作業用親綱に安全帯１１のフック１１ａを引っかけ、安全帯で作業者を支持した状態で隣接する親綱支柱１間にわたって保守点検作業を行うこともできる。さらに、住宅のリフォームなどに際して、親綱支柱１を利用して足場を固定することもできる。
【００２０】
なお、前述した実施形態においては、断熱材７１の上面に不燃ボード７２を配設した場合を例示したが、断熱材７１は必ずしも敷設する必要はなく、床下地材Ｙに不燃ボード７２および防水シート７３の順に敷設して防水部材７としてもよい。
【００２１】
【発明の効果】
以上のように本発明によれば、アンテナ支線取付金具兼用の親綱支柱を防水性能を確保して最上階の鉄骨梁に強固に固定することができることから、屋上にパラボラアンテナの設置位置が外装工事の前に設定されている場合はもちろん、外装工事後に設定されたとしても、その設置位置に基づいて選択された複数個の親綱支柱にアンテナ支線を連結することにより、パラボラアンテナを鉄骨梁に対して支持することができる。また、安全帯のフックを親綱支柱のリングに直接引っかけ、安全帯で作業者を支持して外装工事や、外装あるいは屋根面などの保守点検作業を行うことができるとともに、隣接する親綱支柱のリングにわたって作業用親綱を連結し、作業用親綱に安全帯のフックを引っかけ、安全帯で作業者を支持して親綱支柱間にわたる範囲の外装工事や、外装あるいは屋根面などの保守点検作業を行うことができる。また、住宅のリフォームなどに際して、親綱支柱を利用して足場を固定することもできる。
【図面の簡単な説明】
【図１】本発明の親綱支柱兼アンテナ支線取付金具の取付構造を示す縦断面図である。
【図２】親綱支柱をアンテナ支線取付金具として利用し、アンテナ架台をアンテナ支線で支持した状態を示す屋上の平面図である。
【図３】親綱支柱を利用して保守点検作業などを行う場合の説明図である。
【符号の説明】
１  親綱支柱
２  支柱本体
３，４  取付板
５  リング
６  防水シート
７  防水部材
７１  断熱材
７２  不燃ボード
７３  防水シート
８  外壁パネル
９  アンテナ架台
１０  アンテナ支線
１１  安全帯
１１ａ  フック
Ｈ  鉄骨梁
Ｙ  床下地材
【図１】
0003848543.tif 000002
【図２】
0003848543.tif 000003
【図３】
0003848543.tif 000004